【手続補正書】
【提出日】平成17年3月11日(2005.3.11)
【手続補正１】
【補正対象書類名】明細書
【補正対象項目名】特許請求の範囲
【補正方法】変更
【補正の内容】
【特許請求の範囲】
【請求項１】
データを複数のブロックに分割し、該分割したブロックを複数の周波数帯域に分割した後、各周波数帯域にて圧縮することにより前記データの再生に必要な基本サブブロックと前記データの再生品質向上に必要な拡張サブブロックとを各ブロック毎に作成する送信データ生成手段と、
前記の生成された基本サブブロック又は拡張サブブロックを送信する送信手段と、
基本サブブロック又は拡張サブブロックを送信するタイミングを発生させるタイミング発生手段と、
前記タイミング発生手段により発生されるタイミングに基づいて現ブロックの基本サブブロックを順次送信させるとともに、基本サブブロックを送信した後次のブロック基本サブブロックを送信するまでの間に現ブロックの拡張サブブロックを送信することが可能かどうかを判断し、拡張サブブロックの送信が可能であると判断された場合には、現ブロック中の拡張サブブロックを選択的に送信させる送信制御手段と、
を備えた第１のデータ処理装置と、
前記第１のデータ処理装置から送信される基本サブブロック又は拡張サブブロックを受信する受信手段と、
前記受信手段にて受信したサブブロックからデータを復元する復元手段と、
前記受信手段にて受信したサブブロックが基本サブブロックである場合には、次のブロックの基本サブブロックが受信されるまでの間に前記受信手段が受信した拡張サブブロックと該受信した基本サブブロックとを前記復元手段に供給してデータを復元させる復元制御手段と、
を備えた第２のデータ処理装置と、
からなることを特徴とするデータ処理システム。
【請求項２】
データを所定の時間単位で複数のブロックに分割し、該分割したブロックを複数の周波数帯域に分割した後、各周波数帯域にて圧縮し、前記データの再生に必要な基本サブブロックと前記データの再生品質向上に必要な拡張サブブロックとを各ブロック毎に生成し、
所定の時間単位で基本サブブロックを順次送信させるとともに、基本サブブロックを送信した後次の基本サブブロックを送信するまでの間に拡張サブブロックを送信することが可能か否かを判断し、拡張サブブロックが送信可能であると判断された場合には拡張サブブロックを送信させる、
ことを特徴とするデータ処理方法。
【請求項３】
サブブロックを識別する識別情報を各サブブロックに付加する、
ことを特徴とする請求項２に記載のデータ処理方法。
【請求項４】
前記識別情報は、当該サブブロックのデータ量を示す情報を含む、
ことを特徴とする請求項３に記載のデータ処理方法。
【請求項５】
前記識別情報は、当該サブブロックが基本サブブロック又は拡張サブブロックのいずれであるかを示す情報を含む、
ことを特徴とする請求項３に記載のデータ処理方法。
【請求項６】
各周波数帯域にて圧縮を実行することにより圧縮成分と圧縮誤差成分とを生成し、最も低い周波数帯域の圧縮成分を基本サブブロックとするとともに、該最も低い周波数帯域以外の圧縮成分と圧縮誤差成分、及び該最も低い周波数帯域の圧縮誤差成分とを拡張サブブロックとする、
ことを特徴とする請求項２に記載のデータ処理方法。
【請求項７】
各周波数帯域についての圧縮誤差成分を再び圧縮処理して、再圧縮成分と再圧縮誤差成分とを生成し、該再圧縮成分と再圧縮誤差成分を拡張サブブロックとする、
ことを特徴とする請求項６に記載のデータ処理システム。
【請求項８】
拡張サブブロックを送信する際、複数の拡張サブブロックの中から送信する拡張サブブロックを選択する、
ことを特徴とする請求項２に記載のデータ処理方法。
【請求項９】
基本サブブロックを送信した後、次のブロックの基本サブブロックを送信するまでにサブブロック送信タイミングを検出した場合には、該送信された基本サブブロックと同じブロックから生成された拡張サブブロックを送信する、
ことを特徴とする請求項２に記載のデータ処理方法。
【請求項１０】
データを所定の時間単位で複数のブロックに分割し、該分割したブロックを複数の周波数帯域に分割した後、各周波数帯域にて圧縮することにより前記データの再生に必要な基本サブブロックと前記データの再生品質向上に必要な拡張サブブロックとを各ブロック毎に生成する送信データ生成手段と、
該生成されたサブブロックを送信する送信手段と、
所定の時間単位で基本サブブロックを順次送信させるとともに、基本サブブロックを送信した後次の基本サブブロックを送信するまでの間に拡張サブブロックを送信することが可能か否かを判断し、拡張サブブロックが送信可能であると判断された場合には拡張サブブロックを送信させる送信制御手段と、
を具備することを特徴とするデータ処理装置。
【請求項１１】
前記送信データ生成手段は、サブブロックを識別する識別情報を各サブブロック毎に付加する、
ことを特徴とする請求項１０に記載のデータ処理装置。
【請求項１２】
前記識別情報は、当該サブブロックのデータ量を示す情報を含む、
ことを特徴とする請求項１１に記載のデータ処理装置。
【請求項１３】
前記識別情報は、当該サブブロックが基本サブブロック又は拡張サブブロックのいずれであるかを示す情報を含む、
ことを特徴とする請求項１１に記載のデータ処理装置。
【請求項１４】
前記送信データ生成手段は、各周波数帯域にて圧縮を実行することによりり圧縮成分と圧縮誤差成分とを生成し、最も低い周波数帯域の圧縮成分を基本サブブロックとするとともに、前記最も低い周波数帯域以外の圧縮成分と圧縮誤差成分及び前記最も低い周波数帯域の圧縮誤差成分とを拡張サブブロックとする、
ことを特徴とする請求項１０に記載のデータ処理装置。
【請求項１５】
前記送信データ生成手段は、各周波数帯域についての圧縮誤差成分を圧縮処理して、再圧縮成分と再圧縮誤差成分とを生成し、該再圧縮成分と再圧縮誤差成分とを拡張サブブロックとする、
ことを特徴とする請求項１４に記載のデータ処理装置。
【請求項１６】
前記送信制御手段は、拡張サブブロックを送信する際、複数の拡張サブブロックの中から送信する拡張サブブロックを選択する、
ことを特徴とする請求項１０に記載のデータ処理装置。
【請求項１７】
基本サブブロック又は拡張サブブロックを送信するタイミングを生成するタイミング生成手段をさらに備え、
前記送信制御手段は、前記タイミング検出時に基本サブブロックを送信し、次ぎの基本サブブロックを送信するまでにタイミングを検出した場合には、該送信された基本サブブロックと同じブロックから生成された拡張サブブロックを送信させる、
ことを特徴とする請求項１０に記載のデータ処理装置。
【請求項１８】
データを所定の時間単位で複数のブロックに分割するステップと、
該分割したブロックを複数の周波数帯域に分割した後、各周波数帯域にて圧縮し、前記データの再生に必要な基本サブブロックと前記データの再生品質向上に必要な拡張サブブロックとを各ブロック毎に生成するステップと、
所定の時間単位で基本サブブロックを順次送信させるとともに、基本サブブロックを送信した後次の基本サブブロックを送信するまでの間に拡張サブブロックを送信することが可能か否かを判断し、拡張サブブロックが送信可能であると判断された場合には拡張サブブロックの送信を指示するステップと、
を具備することを特徴とする送信データの処理をコンピュータ・システム上で実行するようにコンピュータ可読形式で記述されたデータ処理プログラム。
【請求項１９】
基本サブブロック又は拡張サブブロックを受信し、
該受信したサブブロックが基本サブブロックであると判断された場合には、次の基本サブブロックが受信されるまでの間に受信した拡張サブブロックと該受信した基本サブブロックとからデータを復元させる、
ことを特徴とするデータ処理方法。
【請求項２０】
次の基本サブブロックが受信されるまでの間に受信した複数の拡張サブブロックの中から拡張サブブロックを選択し、該選択された拡張サブブロックと受信した基本サブブロックとからデータを復元する、
ことを特徴とする請求項１９に記載のデータ処理方法。
【請求項２１】
基本サブブロック又は拡張サブブロックを受信する受信手段と、
前記受信手段にて受信したサブブロックからデータを復元する復元手段と、
前記受信手段にて受信したサブブロックが基本サブブロックであると判断された場合、次の基本サブブロックが受信されるまでの間に前記受信手段が受信した拡張サブブロックと該受信した基本サブブロックとを前記復元手段に供給してデータを復元させる復元制御手段と、
を具備することを特徴とするデータ処理装置。
【請求項２２】
前記復元手段は、次の基本サブブロックが受信されるまでの間に前記受信手段が受信した複数の拡張サブブロックの中から拡張サブブロックを選択し、該選択された拡張サブブロックと前記受信した基本サブブロックとを前記復元手段に供給してデータを復元させる、
ことを特徴とする請求項２１に記載のデータ処理装置。
【請求項２３】
受信したサブブロックが基本サブブロックであるかどうかを判断するステップと、
受信したサブブロックが基本サブブロックであると判断された場合、次の基本サブブロックが受信されるまでの間に受信した拡張サブブロックと前記受信した基本サブブロックとを用いてデータの復元を実行させるステップと、
を備えることを特徴とする受信したデータを復元する処理をコンピュータ・システム上で実行するようにコンピュータ可読形式で記述されたデータ処理プログラム。